(57)【要約】【課題】軽量構造のコンパクトなコンバイン機体を容易に構成できるものでありながら、選別装置２６の選別精度を向上でき、選別ロスを低減できるようにしたコンバインを提供しようとするものである。【解決手段】穀物ヘッダー１２と刈刃１５とフィーダハウス１１を有する刈取部３と、扱胴２１を有する脱穀部９と、走行部２及びエンジン７を設ける走行機体１を備え、扱胴２１の下方に選別装置２６を設けるコンバインにおいて、走行機体１の進行方向に対して左右向きに脱穀部９を走行機体１上に搭載すると共に、走行機体１の進行方向に対して左右向きに揺動可能に選別装置２６を支持する構造であって、脱穀部９一側部の前面側にフィーダハウス１１を配置させると共に、扱胴２１に対して選別装置２６を機体後方または機体前方にオフセット配置させたものである。【選択図】図１９
2017131150.tif 000002
【特許請求の範囲】
【請求項１】
穀物ヘッダーと刈刃とフィーダハウスを有する刈取部と、扱胴を有する脱穀部と、走行部及びエンジンを設ける走行機体を備え、前記扱胴の下方に選別装置を設けるコンバインにおいて、
前記走行機体の進行方向に対して左右向きに前記脱穀部を走行機体上に搭載すると共に、前記走行機体の進行方向に対して左右向きに揺動可能に前記選別装置を支持する構造であって、前記脱穀部一側部の前面側に前記フィーダハウスを配置させると共に、前記扱胴に対して前記選別装置を機体後方または機体前方にオフセット配置させたことを特徴とするコンバイン。
【請求項２】
左右向き姿勢の前記脱穀部の背面側のうち、前記選別装置設置部の背面側を走行機体後方に向けて張出させ、前記扱胴に対して機体後方側に前記選別装置をオフセット配置させたことを特徴とする請求項１に記載のコンバイン。
【請求項３】
前記選別装置の下方に穀粒取出コンベヤを横架させると共に、前記扱胴に対して前記選別装置と穀粒取出コンベヤを機体後方側にオフセット配置させたことを特徴とする請求項１に記載のコンバイン。
【請求項４】
左右向き姿勢の前記脱穀部の前面側のうち、前記選別装置設置部の前面側を走行機体前方に向けて張出させ、前記扱胴に対して機体前方側に前記選別装置をオフセット配置させたことを特徴とする請求項１に記載のコンバイン。
【発明の詳細な説明】
【技術分野】
【０００１】
本願発明は、圃場の未刈り穀稈を刈取る刈取部と、刈取り穀稈の穀粒を脱粒する脱穀部を搭載したコンバインに関するものである。
【背景技術】
【０００２】
従来、穀物ヘッダーとフィーダハウスと刈刃を有する刈取部と、扱胴を有する脱穀部と、走行部及びエンジンを設ける走行機体を備え、圃場の未刈り穀稈を連続的に刈取って脱穀する技術がある（特許文献１〜３参照）。
【先行技術文献】
【特許文献】
【０００３】
【特許文献１】特許第３４３５０５８号公報
【特許文献２】特開２０１４−１２４１３７号公報
【特許文献３】特開昭６３−５９８１３号公報
【発明の概要】
【発明が解決しようとする課題】
【０００４】
小さい面積の圃場における収穫作業では、穀稈の刈取幅を確保しながら機体全体をコンパクトに構成可能な軽量構造のコンバインが望まれている。特許文献１または特許文献２のように、扱胴の軸心に対して選別装置の横幅方向中心を偏位させて、扱胴に対して回転下手側に選別装置を配置した先行技術があるが、特許文献１または特許文献２では、走行機体の平坦な上面側にエンジンまたは脱穀部などが並設され、走行機体の進行方向に向けて扱胴または選別装置が配備されたものであり、大型のコンバインに適した機体を構成しているから、コンバイン各部の駆動構造が複雑に構成され、コンバイン全体の小型化を簡単に考慮できない等の構造上の問題がある。また、特許文献３のように、走行機体の進行方向に対して左右向きに脱穀部を走行機体上に搭載すると共に、走行機体の進行方向に対して左右向きに揺動可能に選別装置を支持した先行技術があるが、特許文献３では、扱胴と選別装置を左右に並設しているから、脱穀部の上下幅寸法をコンパクトに形成できるが、脱穀部の左右幅寸法を容易に縮小できない構造であり、大型機に比べて穀稈の刈取り幅が小さい小型軽量のコンバインを簡単に構成できない等の構造上の問題がある。また、特許文献３では、穀稈の刈取り幅（刈取部の左右幅寸法）に対して機体左右幅（脱穀部などの本機左右幅寸法）が大きく形成され、刈取部の左右側から本機左右側が突出して、圃場の未刈り穀稈が本機突出部に接触して、脱粒または稈折れなどの不具合が生じやすい等の収穫作業上の問題がある。
【０００５】
そこで、本願発明は、これらの現状を検討して改善を施した普通型コンバインを提供しようとするものである。
【課題を解決するための手段】
【０００６】
前記目的を達成するため、請求項１に係る発明のコンバインは、穀物ヘッダーと刈刃とフィーダハウスを有する刈取部と、扱胴を有する脱穀部と、走行部及びエンジンを設ける走行機体を備え、前記扱胴の下方に選別装置を設けるコンバインにおいて、前記走行機体の進行方向に対して左右向きに前記脱穀部を走行機体上に搭載すると共に、前記走行機体の進行方向に対して左右向きに揺動可能に前記選別装置を支持する構造であって、前記脱穀部一側部の前面側に前記フィーダハウスを配置させると共に、前記扱胴に対して前記選別装置を機体後方または機体前方にオフセット配置させたものである。
【０００７】
請求項２に記載の発明は、請求項１に記載のコンバインにおいて、左右向き姿勢の前記脱穀部の背面側のうち、前記選別装置設置部の背面側を走行機体後方に向けて張出させ、前記扱胴に対して機体後方側に前記選別装置をオフセット配置させたものである。
【０００８】
請求項３に記載の発明は、請求項１に記載のコンバインにおいて、前記選別装置の下方に穀粒取出コンベヤを横架させると共に、前記扱胴に対して前記選別装置と穀粒取出コンベヤを機体後方側にオフセット配置させたものである。
【０００９】
請求項４に記載の発明は、請求項１に記載のコンバインにおいて、左右向き姿勢の前記脱穀部の前面側のうち、前記選別装置設置部の前面側を走行機体前方に向けて張出させ、前記扱胴に対して機体前方側に前記選別装置をオフセット配置させたものである。
【発明の効果】
【００１０】
請求項１に記載の発明によれば、穀物ヘッダーと刈刃とフィーダハウスを有する刈取部と、扱胴を有する脱穀部と、走行部及びエンジンを設ける走行機体を備え、前記扱胴の下方に選別装置を設けるコンバインにおいて、前記走行機体の進行方向に対して左右向きに前記脱穀部を走行機体上に搭載すると共に、前記走行機体の進行方向に対して左右向きに揺動可能に前記選別装置を支持する構造であって、前記脱穀部一側部の前面側に前記フィーダハウスを配置させると共に、前記扱胴に対して前記選別装置を機体後方または機体前方にオフセット配置させたものであるから、コンバイン全体の小型化を簡単に実行でき、穀稈の刈取り幅を確保しながら軽量構造のコンパクトなコンバイン機体を容易に構成できるものでありながら、前記扱胴回転の下手側に前記選別装置の選別幅中央をずらせて、前記扱胴下方に漏下する穀粒を前記選別装置の選別幅中央に落下させ、前記選別装置の選別幅を有効活用して穀粒を均一に分散でき、選別装置の選別精度を向上でき、選別ロスを低減できる。
【００１１】
請求項２に記載の発明によれば、左右向き姿勢の前記脱穀部の背面側のうち、前記選別装置設置部の背面側を走行機体後方に向けて張出させ、前記扱胴に対して機体後方側に前記選別装置をオフセット配置させたものであるから、前記扱胴に対して選別装置を後方側にオフセットして、前記脱穀部前部の低い位置に穀物ヘッダーを近接配置でき、機体前後長さを容易に短縮でき、小さい面積の圃場における収穫作業に適したコンパクトなコンバイン機体を構成できると共に、前記脱穀部が搭載されるコンバイン機体前部を軽量化して、機体前側の走行部の接地圧などを低減でき、小さい面積の圃場における収穫作業での走行性などを向上できる。
【００１２】
請求項３に記載の発明によれば、前記選別装置の下方に穀粒取出コンベヤを横架させると共に、前記扱胴に対して前記選別装置と穀粒取出コンベヤを機体後方側にオフセット配置させたものであるから、前記脱穀部前部の低い位置に穀物ヘッダーを近接配置でき、機体前後長さを容易に短縮できると共に、機体重心をさらに後方寄りに設定して、コンバイン機体前部を一層軽量化でき、圃場における収穫作業での走行性に加え、圃場での畦越え走行性または湿田走行性なども向上できる。
【００１３】
請求項４に記載の発明によれば、左右向き姿勢の前記脱穀部の前面側のうち、前記選別装置設置部の前面側を走行機体前方に向けて張出させ、前記扱胴に対して機体前方側に前記選別装置をオフセット配置させたものであるから、前記選別装置と穀粒取出コンベヤに対して前記扱胴を機体後方側にオフセット配置でき、前記脱穀部重心を後方寄りに設定でき、前記脱穀部が搭載されるコンバイン機体前部を軽量化して、機体前側の走行部の接地圧などを低減でき、圃場における収穫作業での走行性の向上と共に、圃場での畦越え走行性または湿田走行性などを向上できる。
【図面の簡単な説明】
【００１４】
【図１】本発明の第１実施形態を示す普通型コンバインの左側面図である。
【図２】同コンバインの平面図である。
【図３】同コンバインの右側面図である。
【図４】図１の拡大説明図である。
【図５】図２の拡大説明図である。
【図６】図３の拡大説明図である。
【図７】左側後方から視た走行機体の斜視図である。
【図８】右側前方から視た走行機体の斜視図である。
【図９】走行機体の左側説明図である。
【図１０】走行機体の右側説明図である。
【図１１】走行機体の平面説明図である。
【図１２】普通型コンバインの駆動系統図である。
【図１３】左側後方から視た走行機体の斜視図である。
【図１４】図１３の拡大説明図である。
【図１５】左側後方から視た走行機体の斜視図である。
【図１６】エンジンの駆動伝達部を示す右側説明図である。
【図１７】脱穀部の断面正面図である。
【図１８】図１７の拡大説明図である。
【図１９】脱穀部の断面右側面図である。
【図２０】第２実施形態を示す脱穀部の断面右側面図である。
【発明を実施するための形態】
【００１５】
以下に、本願発明を具体化した実施形態を、普通型コンバインに適用した図面（図１〜図２０）に基づいて説明する。まず、図１〜図６を参照しながら、普通型コンバインの概略構造について説明する。なお、以下の説明では、走行機体１の前進方向に向かって左側を単に左側と称し、同じく前進方向に向かって右側を単に右側と称する。
【００１６】
図１〜図６に示す如く、実施形態における普通型コンバインは、走行部としてのゴムクローラ製の左右一対の履帯２にて支持された走行機体１を備える。走行機体１の前部には、稲（または麦）等の未刈り穀稈を刈取りながら取込む刈取部３が単動式の昇降用油圧シリンダ４にて昇降調節可能に装着されている。
【００１７】
走行機体１の前部上面には、刈取部３から供給された刈取穀稈を脱穀処理するための脱穀部９を搭載する。脱穀部９の内部には、後述する穀稈脱粒ロータとしての扱胴２１と、脱穀物の選別を行う穀粒選別機構１０を配置する。走行機体１の後部右側には、オペレータが歩行移動しながら操縦する運転操作部５を搭載する。コンバイン各部の動力源としてのエンジン７を、走行機体１の中央部に配置する。走行機体１の後部左側（運転操作部５の左側方）には、脱穀部９から穀粒を取出す籾受部６を配置する。籾受部６に向けて脱穀部９内の穀粒を穀粒排出コンベヤ８にて搬出するように構成している。
【００１８】
刈取部３は、脱穀部９前部の扱口供給部に連通したフィーダハウス１１と、フィーダハウス１１の前端に連設された横長バケット状の穀物ヘッダー１２を備えている。穀物ヘッダー１２内に掻込みオーガ１３（プラットホームオーガ）を回転可能に軸支する。掻込みオーガ１３の前部上方にタインバー付き掻込みリール１４を配置する。穀物ヘッダー１２の前部にバリカン状刈刃１５を配置する。穀物ヘッダー１２前部の左右両側に左右の分草体１６を突設する。また、フィーダハウス１１に供給コンベヤ１７を内設する。なお、フィーダハウス１１の下面部と走行機体１の前端部とが昇降用油圧シリンダ４を介して連結され、後述する刈取入力軸１８（フィーダハウスコンベヤ軸）を昇降支点として、刈取部３が昇降用油圧シリンダ４にて昇降動する。
【００１９】
上記の構成により、左右の分草体１６間の未刈り穀稈の穂先側が掻込みリール１４にて掻込まれ、未刈り穀稈が刈刃１５にて刈取られ、掻込みオーガ１３の回転駆動によって、穀物ヘッダー１２の左右幅の中央部寄りのフィーダハウス１１入口付近に刈取穀稈が集められる。穀物ヘッダー１２の刈取穀稈の全量は、フィーダハウス１１内の供給コンベヤ１７によって搬送され、脱穀部９左側部に設けられた扱口供給板９ａから扱室２２内部に投入されるように構成している。なお、図１の仮想線に示す如く、穂先側が刈取られた後の穀稈の稈元を切断する稈元切断刃１９を備え、走行機体１前部に稈元切断刃１９を着脱可能に取付け、穀物ヘッダー１２の後方に稈元切断刃１９を昇降可能に配置している。
【００２０】
また、図４〜図６に示す如く、脱穀部９の扱室２２内に扱胴２１を回転可能に設ける。走行機体１の左右方向に延長させた扱胴軸２０に扱胴２１を軸支する。扱胴２１の下方側には、穀粒を漏下させる受網２４を張設する。加えて、供給コンベヤ１７の穀稈送り終端側に連通させる扱口供給板９ａが、扱室２２の左側下部に形成される一方、扱室２２の右側下部に排塵口２３が形成されている。即ち、走行機体１の前部に横置き姿勢の扱胴２１を左右向きに搭載すると共に、脱穀部９の左側端部にフィーダハウス１１を配置して、前後方向に長尺なフィーダハウス１１と左右横置き姿勢の脱穀部９における刈取穀稈の移動方向を直交方向に変更するように構成している。なお、扱胴２１は、同一円周上に配置する４本の四角パイプ製の胴フレーム２１ａと、胴フレーム２１ａの外周面に等間隔に立設させる多数本の丸棒状の扱歯２１ｂと、排塵口２３に対向する胴フレーム２１ａ右側端部の外周面に立設させる排塵羽根板体２１ｃを有する。
【００２１】
上記の構成により、供給コンベヤ１７によって扱口供給板９ａから投入された刈取穀稈は、扱胴２１の回転によって走行機体１の左側から右側に向けて搬送されながら、扱胴２１と受網２４との間などにて混練されて脱穀される。受網２４の網目よりも小さい穀粒等の脱穀物は受網２４から漏下する。受網２４から漏下しない藁屑等は、扱胴２１の搬送作用によって、扱室２２右側下部の排塵口２３から右側履帯２の機外側方の圃場に排出されるように構成している。
【００２２】
さらに、図１７、図１８に示す如く、扱胴２１の下方に配置された穀粒選別機構１０として、比重選別用の揺動選別盤２６を備える。揺動選別盤２６は、扱口供給板９ａの下方に配置させる流穀平板体２７と、受網２４の下方に配置させる穀粒漏下用の多孔板体２８と、多孔板体２８右側端部の下方に配置するグレンシーブ２９等にて構成する。また、揺動ガイド体（図示省略）にて上下左右に移動可能な揺動選別盤２６の右側端部を支持するクランク軸型の揺動駆動軸３１を備え、揺動駆動軸３１にて揺動選別盤２６を上下左右に往復移動させるように構成している。揺動選別盤２６右側端部に設けた排塵流下板体２３ａ上面側に排塵口２３を形成し、排塵流下板体２３ａ上面を介して、扱室２２右側開口部の排塵口２３または揺動選別盤２６の右側端部の藁屑が右側履帯２機外側方の圃場面に排出されるように構成している。
【００２３】
また、図４、図５、図１３、図１７〜図１９に示す如く、穀粒選別機構１０として、揺動選別盤２６に選別風を供給する送風ファン３４及び送風ファンダクト３５と、揺動選別盤２６の下方に横架させる穀粒取出コンベヤ３６を備える。揺動選別盤２６の左側端部の下面側に送風ファンダクト３５の排風口３５ａを開口させ、揺動選別盤２６の左側から右側方向に送風ファン３４の選別風を供給する。排風口３５ａに対向させて上手側風向ガイド板体３５ｂと下手側風向ガイド板体３５ｃを備える。
【００２４】
流穀平板体２７の下方に上手側風向ガイド板体３５ｂを配置させ、上手側風向ガイド板体３５ｂにて排風口３５ａからの選別風を流穀平板体２７の下面側全域に均一分散させると共に、穀粒漏下用の多孔板体２８の下方に下手側風向ガイド板体３５ｃを配置させ、下
手側風向ガイド板体３５ｃの案内にて多孔板体２８の下面側から上面方向に向けて排風口３５ａからの選別風を移動させるものであり、扱胴２１にて脱穀されて受網２４から漏下した脱穀物は、揺動選別盤２６の比重選別作用と送風ファン３４の風選別作用により、重い穀粒と、軽い藁屑等に選別されるように構成している。なお、揺動選別盤２６上面側の軽い藁屑等は、脱穀部９右側の排塵口２３から圃場に排出される。
【００２５】
一方、脱穀部９の左側部において、脱穀部９と籾受部６の間に前低後高姿勢に穀粒排出コンベヤ８を延設させる。穀粒取出コンベヤ３６左側端部の送り終端側に、穀粒排出コンベヤ８前端部の送り始端側を連結させる。脱穀部９底部の端面Ｖ字形状の穀粒取出樋２５に穀粒取出コンベヤ３６を内設させる。揺動選別盤２６と送風ファン３４の選別作用とにより、多孔板体２８とグレンシーブ２９から穀粒取出樋２５に漏下した穀粒は、穀粒取出コンベヤ３６左側端部から穀粒排出コンベヤ８前端部に移送され、穀粒排出コンベヤ８後端部の籾投入口８ａから籾受部６に移送され、籾受部６上の籾袋３７に収集されるように構成している。
【００２６】
即ち、籾受部６には、走行機体１右側後端部に台支持フレーム３８ａを介して連結させる籾受台３８と、走行機体１右側後端部にアーム支柱フレーム３９ａを介して取付ける籾受アーム体３９を設ける。また、アーム支柱フレーム３９ａの上端側に穀粒排出コンベヤ８後端部の送り終端側を支持させ、穀粒排出コンベヤ８後端部の送り終端側に籾投入口８ａを設けるものであり、籾受アーム体３９に籾袋３７を吊下げ、籾投入口８ａに籾袋３７の開口部を装着し、籾投入口８ａから排出される穀粒が籾袋３７内部に充填される。
【００２７】
一方、図４〜６に示す如く、運転操作部５には、操縦コラム４１を配置する。操縦コラム４１には、走行機体１の進路を変更する左右のサイドクラッチレバー４３，４４と、走行機体１の移動速度を切換える走行変速レバー４５と、刈取部３または脱穀部９を駆動または停止操作する作業クラッチレバー４６と、刈取部３を昇降操作する刈取昇降レバー４７と、駐車ブレーキレバー４８が配置されている。また、操縦コラム４１の後面側に歩行用ハンドル４９を後方に向けて突設させ、歩行用ハンドル４９の左側握り部にアクセルレバー４０を取付けている。
【００２８】
なお、図７、図８に示す如く、操縦コラム４１の後方には、オペレータが座乗する運転座席４２を着脱可能に配置する。走行機体１の右側後端部に運転席ブラケット体１１１を設け、運転席ブラケット体１１１に運転席フレーム１１２の前端部を着脱可能にボルト締結する。また、上部機体フレーム１ｂの右側後端から後方に向けて運転席フレーム１１２の後端側を略水平に延設し、運転席フレーム１１２の後端部に運転座席４２を取付け、運転席フレーム１１２を介して運転操作部５後方に運転座席４２を配置し、運転座席４２に座乗したオペレータが、運転操作部５の各レバー４３，４４，４５，４６，４７，４８等を操作可能に構成している。
【００２９】
また、図７、図８に示す如く、運転座席４２に座乗するオペレータの足元と右の履帯２後端部の間に配置する足元ガード体１１４を備える。運転席フレーム１１２の前後幅中間部から下方に向けてガード体支持フレーム１１５を延設し、ガード体支持フレーム１１５に足元ガード体１１４を固着し、オペレータの足元が右の履帯２に接触するのを足元ガード体１１４にて阻止するように構成している。加えて、ガード体支持フレーム１１５の下端部に足載せフレーム１１３を固着し、運転座席４２に座乗したオペレータの足を足載せフレーム１１３に載せると共に、運転席フレーム１１２に高さ調節フレーム１１０を介してガード体支持フレーム１１５の上端側を昇降可能にボルト連結している。
【００３０】
さらに、図７〜図１０に示す如く、走行機体１の下面側に左右の前支脚体３２及び後支脚体３３を下向きに突設させ、走行機体１下面側に左右の各支脚体３２，３３を介して左
右のトラックフレーム５０を配置している。トラックフレーム５０には、履帯２にエンジン７の動力を伝える駆動スプロケット５１と、履帯２のテンションを維持するテンション機構５３を介して支持するテンションローラ５２と、履帯２の接地側を接地状態に保持する複数のトラックローラ５４を設けている。前記テンションローラ５２によって履帯２の前側を支持させ、駆動スプロケット５１によって履帯２の後側を支持させ、トラックローラ５４によって履帯２の接地側を水平姿勢に支持させ、履帯２の非接地側を前低後高姿勢に支持させるように構成している。
【００３１】
次に、図７〜図１２、図１５、図１６を参照してコンバインの駆動構造を説明する。図１２に示す如く、走行油圧ポンプ及び油圧モータが内蔵された走行変速用の油圧無段変速機６４をミッションケース６３に設ける。走行機体１の中央上面にエンジン７を搭載し、エンジン７後方の走行機体１後部にミッションケース６３を配置する。また、エンジン７から左側方に突出させた出力軸６５上の走行駆動プーリ６９と、ミッションケース６３から左側方に突出させた入力軸６６上の変速入力プーリ７０を、前側走行出力ベルト６７ａと後側走行出力ベルト６７ｂを介して連結する。
【００３２】
また、テンションローラ形の走行クラッチ６８にて前側走行出力ベルト６７ａを緊張させ、エンジン７からミッションケース６３に動力を伝達して、左右の履帯２を駆動するように構成している。なお、図９に示す如く、変速入力プーリ７０左側の機外側面に入力プーリファン７０ａを固着し、入力プーリファン７０ａにて油圧無段変速機６４を空冷するように構成している。
【００３３】
加えて、図９、図１５、図１６に示す如く、走行機体１上に中間フレーム１３１を後傾姿勢に立設させ、中間フレーム１３１の上端側に中間軸１３２を介して左側中間プーリ１３３と右側中間プーリ１３４を一体的に回動可能に軸支し、走行駆動プーリ６９と左側中間プーリ１３３の間に走行クラッチ６８を介して前側走行出力ベルト６７ａを掛け回すと共に、右側中間プーリ１３４と変速入力プーリ７０の間に後側走行出力ベルト６７ｂを掛け回している。エンジン７後側のミッションケース６３を機体前後中心線に対して機体右側寄りに配置し、走行駆動プーリ６９の取付け位置に対して変速入力プーリ７０の取付け位置を走行機体１の中央寄りに形成する。
【００３４】
後側走行出力ベルト６７ｂ後端側の変速入力プーリ７０に支持された入力プーリファン７０ａは、前側走行出力ベルト６７ａの後側方に配置される。エンジン７の後方で左右履帯２の間に、ミッションケース６３上部に油圧無段変速機６４を一体的に上載固定でき、重量部品であるエンジン７とミッションケース６３を機体左右幅中央部（機体前後中心線付近）に支持して、機体の左右方向の重量バランスを良好に形成している。
【００３５】
図７〜図１２に示す如く、前記刈取部３と扱胴２１を駆動するためのカウンタ軸７２を備える。左側軸受体７１ａと右側軸受体７１ｂを介して走行機体１上面側にカウンタ軸７２を回転自在に設ける。エンジン７から左側方に突出させた出力軸６５上の脱穀駆動プーリ５７と、カウンタ軸７２左側端部のカウンタ軸プーリ５８を、脱穀駆動ベルト５９を介して連結する。テンションローラ形の作業クラッチ６０にて脱穀駆動ベルト５９を緊張させ、エンジン７からカウンタ軸７２に動力を伝達させる。
【００３６】
また、カウンタ軸７２右側端部にカウンタ軸スプロケット７３と穀粒送出スプロケット７６を軸支する。カウンタ軸スプロケット７３と、扱胴軸２０右側端部の扱胴軸入力スプロケット７４を、脱穀駆動チェン７５にて連結し、カウンタ軸７２を介して扱胴２１を駆動するように構成している。また、穀粒送出スプロケット７６と、穀粒取出コンベヤ３６右側端部の送出入力スプロケット７７を、送出駆動チェン７８にて連結し、カウンタ軸７２を介して穀粒取出コンベヤ３６を駆動するように構成している。
【００３７】
加えて、穀粒取出コンベヤ３６左側端部にベベルギヤ機構７９を介して穀粒排出コンベヤ８の送り始端側を連結し、穀粒取出コンベヤ３６と穀粒排出コンベヤ８を連動して駆動するように構成している。また、穀粒取出コンベヤ３６における穀粒取出コンベヤ軸３６ａ右側端部に揺動入力スプロケット１３５を設け、揺動入力スプロケット１３５に揺動入力チェン１３６を介して揺動入力軸１３７上の揺動駆動スプロケット８０を連結し、揺動入力軸１３７にベベルギヤ機構８１を介して揺動選別盤２６の揺動駆動軸３１を連結し、穀粒取出コンベヤ軸３６ａを介して揺動選別盤２６を上下左右に揺動駆動するように構成している。
【００３８】
一方、扱胴軸２０左側端部のファン駆動スプロケット８２と、送風ファン３４軸上の送風ファンスプロケット８３を、ファン駆動チェン８４にて連結し、扱胴２１と送風ファン３４を連動して駆動するように構成している。操縦コラム４１の左側部に配置した作業クラッチレバー４６の作業クラッチ６０入り操作にて、脱穀部９の各部（扱胴２１、各コンベヤ８，３６、揺動選別盤２６、送風ファン３４）を定速回転数にて駆動している。
【００３９】
次いで、図１〜図３、図１２を参照して刈取部３の駆動構造を説明する。図１〜図３、図１２に示す如く、扱胴軸２０左側端部に設ける扱胴軸出力スプロケット８５と、刈取部３の昇降支点である刈取入力軸１８左側端部に設ける刈取入力スプロケット８６を、刈取入力チェン８７にて連結する。刈取部３全体を昇降動可能に支持する刈取入力軸１８を介して、扱胴２１と供給コンベヤ１７を連動して駆動するように構成している。前記刈取部３の穀物ヘッダー１２左側部の後面側に一対のヘッダー駆動軸受体１４１を介してヘッダー駆動軸９１を設ける。ヘッダー駆動軸９１の右側端部に、ヘッダー駆動スプロケット８８，８９及びヘッダー駆動チェン９０を介して刈取入力軸１８の左側端部を連結している。
【００４０】
なお、穀物ヘッダー１２左側部の後面側に一対のヘッダー駆動軸受体１４１をボルト締結している。また、穀物ヘッダー１２に掻込みオーガ１３を軸支する掻込み軸９３を備える。掻込み軸９３の左側端部に、掻込み駆動チェン９２及び掻込み駆動スプロケット９４，９５を介してヘッダー駆動軸９１の左側端部を連結する。刈取入力軸１８とヘッダー駆動軸９１を介して掻込みオーガ１３を駆動するように構成している。
【００４１】
さらに、図１〜図３、図１２に示す如く、穀物ヘッダー１２上面の左右のリール昇降支点ブラケット部に左右のリール昇降支点軸１５３を設ける。穀物ヘッダー１２上面の左右端部にリール昇降支点軸１５３を介して昇降支持フレーム１５１基端部を回動可能に軸支する。また、掻込みリール１４を軸支するリール軸９６を備え、左右の昇降支持フレーム１５１先端部にリール軸９６の左右端部を回動可能に軸支する。穀物ヘッダー１２の上面側に左右の昇降支持フレーム１５１を介して掻込みリール１４を昇降動可能に配置している。
【００４２】
加えて、穀物ヘッダー１２の左右側面に左右の昇降支持フレーム１５１の中間部を支持する伸縮可能な支持高さ調節アーム１５５を備え、支持高さ調節アーム１５５を多段的に伸縮させて、掻込みリール１４の支持高さを多段階に変更可能に構成している。なお、支持高さ調節アーム１５５を油圧シリンダにて形成し、前記油圧シリンダの油圧力にて掻込みリール１４の支持高さを無段階に変更することも可能である。
【００４３】
さらに、左側のリール昇降支点軸１５３の左端側を左側機外方向に延設させ、左側のリール昇降支点軸１５３の左側部に、リール駆動スプロケット９８とリール駆動プーリ１６１を遊転軸支している。なお、リール駆動スプロケット９８の左側面とリール駆動プーリ１６１の右側面を一体的に圧着させてボルト締結する。左側のリール昇降支点軸１５３の
中間部に、リール駆動スプロケット９８とリール駆動プーリ１６１をボールベヤリング軸受にて回動可能に支持している。
【００４４】
図１〜図３、図１２に示す如く、ヘッダー駆動軸９１の左側端部に設けたリール入力スプロケット９９とリール駆動スプロケット９８にリール駆動チェン９７を掛け回す。リール軸９６の左側端部に設けたリール従動プーリ１６３とリール駆動プーリ１６１にリール駆動ベルト１６４を掛け回す。リール駆動テンションアーム１６５先端部にリール駆動テンションプーリ１６６を回動可能に軸支させる。リール駆動チェン９７とリール駆動ベルト１６４を介して、ヘッダー駆動軸９１にリール軸９６を連動連結している。なお、リール駆動ベルト１６４にリール駆動テンションプーリ１６６をリール駆動テンションバネ１６７力にて弾圧させ、リール駆動テンションプーリ１６６にてリール駆動ベルト１６４を緊張支持している。
【００４５】
また、リール駆動テンションアーム１６５基端側に左側のリール昇降支点軸１５３の機外側端部を貫通させ、一体的なリール駆動スプロケット９８とリール駆動プーリ１６１、またはリール駆動テンションアーム１６５を、左側のリール昇降支点軸１５３の左端側に着脱可能に構成している。なお、刈取部３左側のチェンカバー体１６９にリール駆動チェン９７を内設すると共に、刈取部３左側のベルトカバー体１７０にリール駆動ベルト１６４を内設する。
【００４６】
さらに、掻込み軸９３の右側端部には、刈刃駆動クランク機構１００を介して刈刃１５が連結されている。作業クラッチレバー４６の作業クラッチ６０入り操作にて、刈取部３の各部（供給コンベヤ１７と、掻込みオーガ１３と、掻込みリール１４と、刈刃１５）が駆動されて、圃場の未刈り穀稈の穂先側を連続的に刈取るように構成している。なお、刈取部３右側の刈刃駆動カバー体１７１に刈刃駆動クランク機構１００を内設する。また、稈元切断刃１９を設ける構造では、刈取入力軸１８の右側端部に、稈元切断チェン１０１及びスプロケット１０２，１０３を介して稈元切断軸１０４を連結させるものであり、走行機体１前端部に支持された稈元切断軸１０４に稈元切断クランク機構１０５を介して稈元切断刃１９を連結させている。圃場の穀稈の穂先側が刈刃１５にて切断された後、続いて圃場の穀稈の株元側が稈元切断刃１９にて切断され、圃場に残存する穀稈の切り株が短尺になるように構成している。
【００４７】
次いで、図４〜図１１、図１６を参照して、走行機体１の構造を説明する。図４〜図１１、図１６に示す如く、下部機体フレーム１ａと上部機体フレーム１ｂと支柱フレーム１ｃにて走行機体１を上下多段の櫓構造に構成している。下部機体フレーム１ａの下面側に左右のトラックフレーム５０を介して左右の履帯２を装設させる。また、上部機体フレーム１ｂ上面の搭載部にエンジン７下面を連結し、上部機体フレーム１ｂにエンジン７を搭載するものであり、エンジン７は、運転操作部５と籾受部６間の走行機体１中央部に配置される。
【００４８】
即ち、走行機体１の左右幅中央部にエンジン７が配置されると共に、エンジン７を中心に、エンジン７右側方の上部機体フレーム１ｂ後部に運転操作部５が配置され、エンジン７左側方の上部機体フレーム１ｂ後部に籾受部６が配置されるものであり、走行機体１の後方右側に運転操作部５が配置され、走行機体１の後方左側に籾受部６が配置される。エンジン７が搭載された上部機体フレーム１ｂの右側上面にバッテリ５６を配置し、エンジン７の始動電源などにバッテリ５６を利用するように構成している。
【００４９】
一方、上部機体フレーム１ｂ前端側よりも前方に下部機体フレーム１ａ前端側を延設し、下部機体フレーム１ａの前端側上面に脱穀部９底部を載置する。脱穀部９後方側の上部機体フレーム１ｂ上面にエンジン７を設置し、脱穀部９上面高さとエンジン７上面高さを
一致させて略同一高さに形成している。上部機体フレーム１ｂと略同一高さ位置に穀粒選別機構１０の揺動選別盤２６を支持させ、エンジン７の設置面（上部機体フレーム１ｂ上面）よりも脱穀部９の設置面（下部機体フレーム１ａ上面）を低く形成し、走行機体１の低い位置に脱穀部９の刈取穀稈入口（扱口供給板９ａ）を配置可能に構成している。また、下部機体フレーム１ａの前端部に昇降支持フレーム体１２９を介して昇降用油圧シリンダ４を取付けると共に、上部機体フレーム１ｂ前端部（脱穀部９後面）と下部機体フレーム１ａの間に作動油タンク５５を配置し、昇降用油圧シリンダ４などの作動油を作動油タンク５５に貯蔵するように構成している。
【００５０】
他方、左右のトラックフレーム５０後端に下部機体フレーム１ａの後端を左右の後支脚体３３にて連結し、左右の後支脚体３３の上端側を下部機体フレーム１ａの後方上方に向けて延設させ、左右の後支脚体３３の上端側にミッションケース６３両側の左右車軸ケース６３ａを着脱可能に支持すると共に、下部機体フレーム１ａの後端側よりも後方に上部機体フレーム１ｂの後端側を延設し、上部機体フレーム１ｂの後端側に上部連結体６２を介してミッションケース６３の上端側を着脱可能に支持するものであり、後支脚体３３の上端側と上部機体フレーム１ｂの後端側にミッションケース６３を後傾姿勢に配置している。
【００５１】
ミッションケース６３下端側の左右車軸ケース６３ａに左右駆動スプロケット５１を介して左右履帯２の後端部を張設させている。即ち、後支脚体３３の上端側に駆動スプロケット５１を支持し、トラックフレーム５０前端部のテンションローラ５２と後支脚体３３上端側の駆動スプロケット５１の間に履帯２の非接地側を張設し、履帯２の非接地側を前下がりに傾斜させた前低後高姿勢に支持している。
【００５２】
一方、図５、図７、図１１、図１３、図１５に示す如く、上部機体フレーム１ｂの右側後端部と左側の車軸ケース６３ａに両端側をボルト締結させるミッション保護フレーム１１６を備え、ミッションケース６３の後側をミッション保護フレーム１１６にて囲むと共に、ミッション保護フレーム１１６にミッション保護カバー１１７を取付け、ミッションケース６３上部の油圧無段変速機６４の上方側及び後方側をミッション保護カバー１１７にて覆うように構成している。
【００５３】
図７〜図１１、図１３、図１５、図１６を参照して、カウンタ軸７２の取付け構造を説明する。図７〜図１１、図１３に示す如く、走行機体１のうち上部機体フレーム１ｂ前部の左右端部に左右の軸受ブラケット体１４３，１４４を一体的に溶接固定し、左の軸受ブラケット体１４３に左側軸受体７１ａをボルト締結し、右の軸受ブラケット体１４４に右側軸受体７１ｂをボルト締結し、走行機体１前部の上部機体フレーム１ｂの上方にカウンタ軸７２を水平姿勢に架設している。また、図１３〜図１６に示す如く、上部機体フレーム１ｂの左側上面に送風ファン支持フレーム１４５と送風ファン支持側板体１４６を立設させ、送風ファン支持フレーム１４５と送風ファン支持側板体１４６を連結固定し、送風ファン支持側板体１４６の左側面に送風ファン３４のファンケース部３４ａを固着し、エンジン７左側の前部に送風ファン３４を配設している。
【００５４】
加えて、図１５、図１６に示す如く、送風ファン支持フレーム１４５に脱穀テンションアーム１４７基端側を取付け、前方に延設した脱穀テンションアーム１４７先端側に作業クラッチ６０を配置し、作業クラッチ６０を介して脱穀駆動ベルト５９を張設し、エンジン７の出力軸６５にカウンタ軸７２を連結させている。また、中間フレーム１３１にテンションアーム軸１４８を設け、走行クラッチ６８が支持された走行テンションアーム１４９と、走行出力用のテンションプーリ１８１が支持された出力テンションアーム１８２を、テンションアーム軸１４８を介して中間フレーム１３１に支持させている。
【００５５】
一方、図１３、図１４、図１６に示す如く、脱穀駆動ベルト５９と、前側走行出力ベルト６７ａと、後側走行出力ベルト６７ｂが配置されたエンジン７の左側にベルトカバー体１８３を張設させている。即ち、送風ファン支持フレーム１４５の前側に送風ファン支持側板体１４６を立設し、送風ファン支持フレーム１４５の後側にベルトカバー体１８３の左側壁部を立設すると共に、前記各ベルト５９，６７ａ，６７ｂの上面側に沿ってベルトカバー体１８３の上面壁部を前後方向に延設させるものであり、エンジン７の左側で前後方向に延設させる脱穀駆動ベルト５９と、前側走行出力ベルト６７ａと、後側走行出力ベルト６７ｂのそれぞれの上面側と左側面側が、送風ファン支持側板体１４６とベルトカバー体１８３の左側壁部及び上面壁部にて閉塞されるように構成している。
【００５６】
上記の構成により、送風ファン支持側板体１４６に形成された外気取込み口１４６ａから送風ファン３４に外気を吸入するから、送風ファン支持側板体１４６とベルトカバー体１８３にて覆われた前記各ベルト５９，６７ａ，６７ｂ設置空間の外気が外気取込み口１４６ａを介して送風ファン３４に吸入されるものであり、送風ファン支持側板体１４６とベルトカバー体１８３の下面側開口部（上部機体フレーム１ｂ設置部またはエンジン７載置部の付近）における藁屑が比較的少ない場所から、送風ファン支持側板体１４６とベルトカバー体１８３にて覆われた空間内部に外気が吸込まれ、その空間内部の外気を外気取込み口１４６ａから送風ファン３４に吸入できる。したがって、藁屑などの粉塵が比較的少ない空気を選別風として送風ファン３４から揺動選別盤２６に向けて供給できる。
【００５７】
さらに、図４〜図６などに示す如く、左側履帯２の後部とミッションケース６３後側に亘って籾受台３８を配置させ、二又形状に分岐させた左右の籾投入口８ａを籾受台３８上方に配置し、左右の籾投入口８ａに籾袋３７を交互に装着し、一方（左の籾投入口８ａ）から籾袋３７に籾を充填完了したときに、操縦コラム４１方向に突出させた投入切換レバー１８５の操作部を操作して、左右の籾投入口８ａ基端部の投入切換シャッタ１８６を切換え、他方（右の籾投入口８ａ）から籾袋３７に籾を充填するように構成している。籾が充填された籾袋３７を圃場に落下させ、籾投入口８ａに空の籾袋３７を装着する作業と、投入切換レバー１８５の投入切換シャッタ１８６切換え操作にて、穀粒排出コンベヤ８から連続して搬出される籾（穀粒）を、複数の籾袋３７に充填できる。
【００５８】
なお、籾投入口８ａの下面側から操縦コラム４１方向に投入切換レバー１８５を突出させ、籾投入口８ａの上面側から後方上方に向けてインジケータアーム１８７を突出させ、投入切換レバー１８５と投入切換シャッタ１８６とインジケータアーム１８７を一体的に連結させ、投入切換シャッタ１８６の切換方向を確認しながら、運転座席４２側のオペレータにて投入切換レバー１８５を操作して、投入切換シャッタ１８６を切換えるように構成している。
【００５９】
次いで、図１６〜図１９を参照して、脱穀部９構造を説明する。図１６〜図１９に示す如く、走行機体１の前部上面側に左右向きに平行に架設させる断面端面が逆Ｖ字形状（∧形）の前部フレーム体１２１と断面端面がＬ形の後部フレーム体１２２を備える。下部機体フレーム１ａ（走行機体１）の前端部に断面端面が逆Ｖ字形状（∧形）の前部フレーム体１２１を溶接固定すると共に、上部機体フレーム１ｂ前端部が一体的に連結された支柱フレーム１ｃ（走行機体１）の上端部に断面端面がＬ字形状の後部フレーム体１２２を溶接固定する。前部フレーム体１２１の支持高さよりも後部フレーム体１２２の支持高さを高く形成している。
【００６０】
図１９に示す如く、脱穀部９の底面側に左右向きに配置させる断面端面が逆Ｖ字形状（∧形）の前部横桟枠体１２３と、前記脱穀部の後部側に左右向きに配置させる断面端面がＬ字形状の後部横桟枠体１２４を備える。前部横桟枠体１２３と後部横桟枠体１２４は、左右向きに平行に延設させる前部フレーム体１２１と後部フレーム体１２２の取付け間隔
と同一間隔で、左右向きに平行に延設させている。脱穀部９の機筐底部を端面Ｖ字形状の穀粒取出樋２５にて形成し、脱穀部９底面側の穀粒取出樋２５の外側面うち∨形底面側の前部外側面に断面端面が逆Ｖ字形状（∧形）の前部横桟枠体１２３を溶接固定すると共に、脱穀部９の後面部の外側面に断面端面がＬ字形状の後部横桟枠体１２４を溶接固定している。
【００６１】
また、断面端面が逆Ｖ字形状（∧形）の前部フレーム体１２１に、断面端面が逆Ｖ字形状（∧形）の前部横桟枠体１２３を上方から着脱可能に合体させ、前部フレーム体１２１に前部横桟枠体１２３を着脱可能にボルト１２５締結すると共に、断面端面がＬ字形状の後部フレーム体１２２に、断面端面がＬ字形状の後部横桟枠体１２４を上方から着脱可能に合体させ、後部フレーム体１２２に後部横桟枠体１２４をボルト１２６締結する。断面端面が逆Ｖ字形状の前部フレーム体１２１に前記脱穀部９の逆Ｖ字形状底面部（前部横桟枠体１２３）を固定すると共に、断面端面がＬ字形状の後部フレーム体１２２に前記脱穀部９後部のＬ字形状後部（後部横桟枠体１２４）を固定し、前部フレーム体１２１と後部フレーム体１２２に脱穀部９底面側を上方から着脱可能に合体させるものであり、穀粒取出樋２５の外側面に前部横桟枠体１２３を介して前部フレーム体１２１を接合させて支持するように構成している。即ち、前部フレーム体１２１に脱穀部９底面側の穀粒取出樋２５を着脱可能に支持させ、後部フレーム体１２２に脱穀部９の後部側を着脱可能に支持させるように構成している。
【００６２】
図１９に示す如く、走行機体１の前部上面側に前部フレーム体１２１と後部フレーム体１２２を左右向きに平行に架設させ、前部フレーム体１２１の支持高さよりも後部フレーム体１２２の支持高さを高く形成し、前部フレーム体１２１と後部フレーム体１２２に脱穀部９底面側の前部横桟枠体１２３と後部横桟枠体１２４を上方から着脱可能に合体させるものであるから、前側が低い段違い構造の前部フレーム体１２１と後部フレーム体１２２を介して、走行機体１の前部上面側に脱穀部９を簡単な作業手順にて載置できる。
【００６３】
さらに、図１６〜図１９を参照して、第１実施形態の穀粒選別機構１０の配置構造を説明する。図１６〜図１９に示す如く、扱胴２１が軸支される扱胴軸２０を左右方向に延設して、走行機体１の進行方向に対して左右向きに脱穀部９を走行機体１上に搭載すると共に、選別装置としての揺動選別盤２６を揺動案内するための揺動ガイド体３０を左右方向に延設して、走行機体１の進行方向に対して左右向きに揺動可能に揺動選別盤２６を支持するものであり、脱穀部９左側部の前面側にフィーダハウス１１を配置し、扱胴２１左側部にフィーダハウス１１から刈取穀稈を供給させ、扱胴２１左側から右側方向に穀稈を移動させながら脱粒するように構成している。
【００６４】
また、図１６、図１９に示す如く、左右向き姿勢の脱穀部９の機筐背面側のうち、揺動選別盤２６設置部の機筐背面側を走行機体１後方に向けて張出させる。即ち、揺動選別盤２６が設置される脱穀部９下側部の機筐前面側を機体後方に後退させ、揺動選別盤２６が設置される脱穀部９下側部の機筐背面側を機体後方に膨出させるように構成している。加えて、揺動選別盤２６の選別幅（前後幅）中心の下方に穀粒取出コンベヤ３６を横架し、扱胴２１（扱胴軸２０）中心上の垂直線Ａに対して、揺動選別盤２６の選別幅（穀粒取出コンベヤ３６）中心上の垂直線Ｂを、扱胴２１の回転下手側方向（機体後方）に偏位させ、扱胴２１に対して揺動選別盤２６と穀粒取出コンベヤ３６を機体後方側にオフセット配置している。即ち、扱胴２１の回転方向の下手側に片寄らせて揺動選別盤２６と穀粒取出コンベヤ３６を取付け、扱胴２１から揺動選別盤２６の選別幅（前後幅）中心に脱粒物を落下させるように構成している。
【００６５】
図１６〜図１９に示す如く、左右向き姿勢の脱穀部９の背面側のうち、揺動選別盤２６設置部の背面側を走行機体後方に向けて張出させ、扱胴２１に対して機体後方側に揺動選
別盤２６をオフセット配置させている。したがって、扱胴２１に対して揺動選別盤２６を後方側にオフセットして、脱穀部９前部の低い位置に穀物ヘッダー１２を近接配置でき、機体前後長さを容易に短縮でき、小さい面積の圃場における収穫作業に適したコンパクトなコンバイン機体を構成できると共に、脱穀部９が搭載されるコンバイン機体前部を軽量化して、機体前側の履帯２前端部の接地圧などを低減でき、小さい面積の圃場における収穫作業での走行性などを向上できる。
【００６６】
図１６〜図１９に示す如く、揺動選別盤２６の下方に穀粒取出コンベヤ３６を横架させると共に、扱胴２１に対して揺動選別盤２６と穀粒取出コンベヤ３６を機体後方側にオフセット配置させている。したがって、脱穀部９前部の低い位置に穀物ヘッダー１２を近接配置でき、機体前後長さを容易に短縮できると共に、機体重心をさらに後方寄りに設定して、コンバイン機体前部を一層軽量化でき、圃場における収穫作業での走行性に加え、圃場での畦越え走行性または湿田走行性なども向上できる。
【００６７】
次いで、図２０を参照して、第２実施形態の穀粒選別機構１０の配置構造を説明する。図１９に示す第１実施形態は、右側面視で時計方向に回転させる扱胴２１の下方側に向けてフィーダハウス１１から刈取穀稈を投入する構造である。これに対して、図２０に示す第２実施形態は、右側面視で反時計方向に回転させる扱胴２１の上方側に向けてフィーダハウス１１から刈取穀稈を投入する構造であり、図２０に示す如く、左右向き姿勢の脱穀部９の機筐前面側のうち、揺動選別盤２６設置部の機筐前面側を走行機体１前方に向けて張出させ、揺動選別盤２６が設置される脱穀部９下側部の機筐前面側を機体前方に膨出させると共に、扱胴２１（扱胴軸２０）中心上の垂直線Ａに対して、揺動選別盤２６の選別幅（穀粒取出コンベヤ３６）中心上の垂直線Ｂを、扱胴２１の回転下手側方向（機体前方）に偏位させるように構成している。
【００６８】
即ち、図２０に示す如く、扱胴２１（扱胴軸２０）中心上の垂直線Ａを、揺動選別盤２６の選別幅（穀粒取出コンベヤ３６）中心上の垂直線Ｂに対して、扱胴２１の回転下手側方向（機体後方）に偏位させるものであり、扱胴２１に対して揺動選別盤２６と穀粒取出コンベヤ３６を機体前方側にオフセット配置している。第１実施形態と同様に、扱胴２１の回転方向の下手側に片寄らせて揺動選別盤２６と穀粒取出コンベヤ３６を取付け、扱胴２１から揺動選別盤２６の選別幅（前後幅）中心に脱粒物を落下させるように構成している。
【００６９】
図２０に示す如く、左右向き姿勢の脱穀部９の前面側のうち、揺動選別盤２６設置部の前面側を走行機体前方に向けて張出させ、扱胴２１に対して機体前方側に揺動選別盤２６をオフセット配置させている。したがって、揺動選別盤２６と穀粒取出コンベヤ３６に対して扱胴２１を機体後方側にオフセット配置でき、脱穀部９重心を後方寄りに設定でき、脱穀部９が搭載されるコンバイン機体前部を軽量化して、機体前側の履帯２前端部の接地圧などを低減でき、圃場における収穫作業での走行性の向上と共に、圃場での畦越え走行性または湿田走行性などを向上できる。
【００７０】
図１、図１６〜図２０に示す如く、穀物ヘッダー１２と刈刃１５とフィーダハウス１１を有する刈取部３と、扱胴２１を有する脱穀部９と、走行部としての履帯２及びエンジン７を設ける走行機体１を備え、扱胴２１の下方に選別装置としての揺動選別盤２６を設けるコンバインにおいて、走行機体１の進行方向に対して左右向きに脱穀部９を走行機体１上に搭載すると共に、走行機体１の進行方向に対して左右向きに揺動可能に揺動選別盤２６を支持する構造であって、脱穀部９一側部の前面側にフィーダハウス１１を配置させると共に、扱胴２１に対して揺動選別盤２６を機体後方または機体前方にオフセット配置させている。したがって、コンバイン全体の小型化を簡単に実行でき、穀稈の刈取り幅を確保しながら軽量構造のコンパクトなコンバイン機体を容易に構成できるものでありながら
、扱胴２１回転の下手側に揺動選別盤２６の選別幅中央をずらせて、扱胴２１下方に漏下する穀粒を揺動選別盤２６の選別幅中央に落下させ、揺動選別盤２６の選別幅を有効活用して穀粒を均一に分散でき、揺動選別盤２６の選別精度を向上でき、選別ロスを低減できる。
【符号の説明】
【００７１】
１  走行機体
２  履帯（走行部）
３  刈取部
７  エンジン
９  脱穀部
１１  フィーダハウス
１２  穀物ヘッダー
１５  刈刃
２１  扱胴
２６  揺動選別盤（選別装置）
３６  穀粒取出コンベヤ
【図１】
2017131150.tif 000003
【図２】
2017131150.tif 000004
【図３】
2017131150.tif 000005
【図４】
2017131150.tif 000006
【図５】
2017131150.tif 000007
【図６】
2017131150.tif 000008
【図７】
2017131150.tif 000009
【図８】
2017131150.tif 000010
【図９】
2017131150.tif 000011
【図１０】
2017131150.tif 000012
【図１１】
2017131150.tif 000013
【図１２】
2017131150.tif 000014
【図１３】
2017131150.tif 000015
【図１４】
2017131150.tif 000016
【図１５】
2017131150.tif 000017
【図１６】
2017131150.tif 000018
【図１７】
2017131150.tif 000019
【図１８】
2017131150.tif 000020
【図１９】
2017131150.tif 000021
【図２０】
2017131150.tif 000022